(57)【要約】【課題】記録再生装置自体の操作をせずとも、外部表示装置のリモコンによって外部入力切替がなされることにより、記録再生装置の情報を表示することを可能とする記録再生装置を提供する。【解決手段】ＴＶリモコン１１の外部入力切替キー１１ａを押下する際に発信される外部入力切替コードを情報保存部３１に記憶し、該外部入力切替コードを検知した場合、ＯＳＤ表示部７に電力を供給するよう制御部３で制御をし、情報保存部３１に記憶されるＨＤＤ２の残容量等の記録再生装置１の情報を示すＯＳＤを作成し、映像信号に重畳してＴＶモニタ１０に表示する。【選択図】図１
2007324687.tif 000002
【特許請求の範囲】
【請求項１】
映像音声データを記録可能な記録媒体と、
該記録媒体に記憶される若しくは外部から入力される映像音声信号を処理する映像音声処理手段と、
該映像音声処理手段により処理される映像音声信号、若しくは無信号状態の映像音声信号に重畳してＯＳＤ（Ｏｎ  Ｓｃｒｅｅｎ  Ｄｉｓｐｌａｙ）表示を行うためのＯＳＤ表示手段と、
装置の動作に関する情報を記憶する不揮発性記憶手段と、
装置の動作を操作するための記録再生装置用リモコンと、
該記録再生装置用リモコンによる操作を前記制御部に送信する受光部と、
これらに電源を供給する電力供給手段と、
各手段への電源供給の制御をすると共に装置全体の動作の制御を行う制御部と、を備える記録再生装置であって、
該外部表示装置を操作する外部表示装置用リモコンが外部入力からの映像音声の表示に切り替える際に発する外部入力切替コードを前記不揮発性記憶手段に記憶し、前記外部表示装置用リモコンから発信される前記外部入力切替コードを、前記受光部により検知した際、前記不揮発性記憶手段に記憶された情報を読み込み、前記ＯＳＤ表示手段を通じて前記外部表示装置にＯＳＤ表示を行うことを特徴とする記録再生装置。
【請求項２】
前記外部入力切替コードを検知した際に、前記制御部は前記ＯＳＤ表示手段に電源供給するよう前記電力供給手段を制御すると共に、前記不揮発性記憶手段に記憶される情報を、前記ＯＳＤ表示手段を通じて前記外部表示装置に表示することを特徴とする請求項１記載の記録再生装置。
【請求項３】
前記不揮発性記憶手段に、表示すべき情報が記憶されていない場合、前記制御部は前記電力供給手段に対して前記表示すべき情報に該当する装置に電源を供給するよう制御し、前記表示すべき情報を取得し、不揮発性記憶手段に記憶すると共に、取得した表示すべき情報を前記ＯＳＤ表示手段により前記外部表示装置にＯＳＤ表示することを特徴とする請求項１又は２記載の記録再生装置。
【請求項４】
前記不揮発性記憶手段に記憶される前記外部表示装置に表示される情報は、設定された録画予約情報及び記録媒体の残容量、若しくはその何れかであることを特徴とする請求項１から３の何れか１項記載の記録再生装置。
【請求項５】
前記不揮発性記憶手段に記憶された情報の表示中に、放送番組の録画予約設定の仮登録として前記不揮発性記憶手段に記憶することができ、記録再生装置の通常利用の際に電源をオンにすると、前記不揮発性記憶手段に記憶された仮録画予約設定が自動的に表示され、仮登録を本登録とするか否かの選択画面を表示し、本登録するとされた場合は、不揮発性記憶手段に録画予約情報として記憶することを特徴とする請求項１から４の何れか１項に記載の記録再生装置。
【請求項６】
前記制御部は、前記外部表示装置用リモコンの外部入力切替コードを検知したことによって電源を供給している状態において、所定時間内に前記記録再生装置用リモコン若しくは前記操作部によって何らかの操作が行われない場合、電源をオフにすることを特徴とする請求項１から５の何れか１項に記載の記録再生装置。
【請求項７】
前記外部入力切替コードは、前記外部表示装置用リモコンが発信する前記外部入力切替コードを前記受光部により受信して、前記不揮発性記憶手段に記憶することを特徴とする請求項１から６の何れか１項に記載の記録再生装置。
【請求項８】
前記記録再生装置はＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格の接続端子を有し、接続先の外部装置のＥＤＩＤ（Ｅｘｔｅｎｄｅｄ  Ｄｉｓｐｌａｙ  Ｉｄｅｎｔｉｆｉｃａｔｉｏｎ  Ｄａｔａ）が読み込み可能であり、前記外部表示装置と該ＨＤＭＩ規格の接続端子により接続された際、前記ＥＤＩＤに前記外部入力切替コードが設定されているかを検出し、設定されている場合、前記外部表示装置からが前記外部入力切替コードを取得し、前記不揮発性記憶手段に記憶することを特徴とする請求項１から６の何れか１項に記載の記録再生装置。
【発明の詳細な説明】
【技術分野】
【０００１】
本発明は、外部表示装置に接続された記録再生装置において、外部表示装置を操作するリモコンにより外部入力切替を指示した際に、自動的に記録再生装置に記憶される情報を外部表示装置の表示部に表示する記録再生装置に関する。
【背景技術】
【０００２】
従来の電子装置において、外部の周辺装置や電子機器との接続が可能である。この外部機器の状態等を表示するために、様々な方法が開示されている。例えば、特許文献１では、複数の外部機器との接続状態を表示可能とする方法が開示されている。また、特許文献２では、装着した外部メモリや記録メディアの残容量及び記録状態等をリモコンにより表示部に表示する方法が開示されている。
【０００３】
【特許文献１】特開平１１−２６１９１８号公報
【特許文献２】特開２００５−１９７９５４号公報
【発明の開示】
【発明が解決しようとする課題】
【０００４】
しかしながら、特許文献１の方法では、外部機器の状態を確認するためには、当該外部機器の電源を入れておかねばならない。また、特許文献２の方法は、装着した記録メディア等の状態を表示するものであり、他の電子装置の状態を表示することはできない。
【０００５】
本発明は上記課題を鑑みてなされたものであり、外部表示装置が映像音声信号を他の装置から得る場合、ユーザがリモコンにより外部入力切替を行う際に発信する外部入力切替コードを検知し、これにより自装置の情報を、外部表示装置に送信する映像音声信号に重畳して表示することが可能な記録再生装置を提供することを目的とする。
【課題を解決するための手段】
【０００６】
請求項１に係る記録再生装置は、映像音声データを記録可能な記録媒体と、
該記録媒体に記憶される若しくは外部から入力される映像音声信号を処理する映像音声処理手段と、
該映像音声処理手段により処理される映像音声信号、若しくは無信号状態の映像音声信号に重畳してＯＳＤ（Ｏｎ  Ｓｃｒｅｅｎ  Ｄｉｓｐｌａｙ）表示を行うためのＯＳＤ表示手段と、
装置の動作に関する情報を記憶する不揮発性記憶手段と、
装置の動作を操作するための記録再生装置用リモコンと、
該記録再生装置用リモコンによる操作を前記制御部に送信する受光部と、
これらに電源を供給する電力供給手段と、
各手段への電源供給の制御をすると共に装置全体の動作の制御を行う制御部と、を備える記録再生装置であって、
該外部表示装置を操作する外部表示装置用リモコンが外部入力からの映像音声の表示に切り替える際に発する外部入力切替コードを前記不揮発性記憶手段に記憶し、前記外部表示装置用リモコンから発信される前記外部入力切替コードを、前記受光部により検知した際、前記不揮発性記憶手段に記憶された情報を読み込み、前記ＯＳＤ表示手段を通じて前記外部表示装置にＯＳＤ表示を行うことを特徴とする。
【０００７】
請求項１の構成によれば、外部表示装置で表示する映像音声を、外部表示装置用リモコンに備える外部入力切替キーで切り替える時に該外部表示装置用リモコンから発信される外部入力切替コードを、記録再生装置の受光部によって検知した際に、自動的に不揮発性記憶手段に記憶した記録再生装置の情報を外部表示装置表示することができる。
【０００８】
請求項２に係る記録再生装置は、請求項１記載の記録再生装置において、前記外部入力切替コードを検知した際に、前記制御部は前記ＯＳＤ表示手段に電源供給するよう前記電力供給手段を制御すると共に、前記不揮発性記憶手段に記憶される情報を、前記ＯＳＤ表示手段を通じて前記外部表示装置に表示することを特徴とする。
【０００９】
請求項２の構成によれば、記録再生装置がスタンバイ状態の場合でも、記憶された外部入力切替コードに合致するコードが受光部で検知できた場合に、自動的に不揮発性記憶手段に記憶される情報をＯＳＤ表示として外部表示装置に表示することができる。
【００１０】
請求項３に係る記録再生装置は、請求項１又は２記載の記録再生装置において、前記不揮発性記憶手段に、表示すべき情報が記憶されていない場合、前記制御部は前記電力供給手段に対して前記表示すべき情報に該当する装置に電源を供給するよう制御し、前記表示すべき情報を取得し、不揮発性記憶手段に記憶すると共に、取得した表示すべき情報を前記ＯＳＤ表示手段により前記外部表示装置にＯＳＤ表示することを特徴とする。
【００１１】
請求項３の構成によれば、例えば不揮発性記憶手段の初期化時等により、不揮発性記憶手段に表示するための情報である録画予約情報や記録媒体の残容量などが記憶されていない場合、記録媒体に電源を供給し、残容量を検出することにより、不揮発性記憶手段に情報が記憶されていない場合においてもＯＳＤ表示を正確に行うことができる。
【００１２】
請求項４に係る記録再生装置は、請求項１から３の何れか１項記載の記録再生装置において、前記不揮発性記憶手段に記憶され、前記外部表示装置に表示される情報は、設定された録画予約情報及び記録媒体の残容量、若しくはその何れかであることを特徴とする。
【００１３】
請求項４の構成によれば、記録再生装置が外部入力切替キーを検知することによって、自動的にユーザが設定した録画予約情報の確認や、録画の際に必要な記録媒体の空き容量を、記録再生装置の操作を行うことなく確認することができる。
【００１４】
請求項５に係る記録再生装置は、請求項１から４の何れか１項記載の記録再生装置において、前記不揮発性記憶手段に記憶された情報の表示中に、放送番組の録画予約設定の仮登録として前記不揮発性記憶手段に記憶することができ、記録再生装置の通常利用の際に電源をオンにすると、前記不揮発性記憶手段に記憶された仮録画予約設定が自動的に表示され、仮登録を本登録とするか否かの選択画面を表示し、本登録するとされた場合は、不揮発性記憶手段に録画予約情報として記憶することを特徴とする。
【００１５】
請求項５の構成によれば、外部表示装置のリモコンによる外部入力キー押下を検地した際に不揮発性記憶手段に記憶された情報をＯＳＤ表示している際に、仮の録画予約設定を行うことができる。また、仮録画予約設定以降に記録再生装置の電源がオンになった際に、自動的に仮録画予約設定情報が表示され、ユーザはそれを本登録とするかどうかを決定することができる。
【００１６】
請求項６に係る記録再生装置は、請求項１から５の何れか１項に記載の記録再生装置において、前記制御部は、前記外部表示装置用リモコンの外部入力切替コードを検知したことによって電源を供給している状態において、所定時間内に前記記録再生装置用リモコン若しくは前記操作部によって何らかの操作が行われない場合、電源をオフにすることを特徴とする。
【００１７】
請求項６の構成によれば、外部入力切替コードを検知した場合に電源がオンとなった記録再生装置の各手段は、記録再生装置の操作が所定時間行われない場合において、自動的にオフとすることができる。
【００１８】
請求項７に係る記録再生装置は、請求項１から６の何れか１項記載の記録再生装置において、前記外部入力切替コードは、前記外部表示装置用リモコンが発信する前記外部入力切替コードを前記受光部により受信して、前記不揮発性記憶手段に記憶することを特徴とする。
【００１９】
請求項７の構成によれば、外部表示装置用リモコンの外部入力切替コードを、記録再生装置の受光部により受信することにより、不揮発性記憶手段に記憶することができる。
【００２０】
請求項８に係る記録再生装置は、請求項１から６の何れか１項記載の記録再生装置において、前記記録再生装置はＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格の接続端子を有し、接続先の外部装置のＥＤＩＤ（Ｅｘｔｅｎｄｅｄ  Ｄｉｓｐｌａｙ  Ｉｄｅｎｔｉｆｉｃａｔｉｏｎ  Ｄａｔａ）が読み込み可能であり、前記外部表示装置と該ＨＤＭＩ規格の接続端子により接続された際、前記ＥＤＩＤに前記外部入力切替コードが設定されているかを検出し、設定されている場合、前記外部表示装置からが前記外部入力切替コードを取得し、前記不揮発性記憶手段に記憶することを特徴とする。
【００２１】
請求項８の構成によれば、ＨＤＭＩ規格により記録再生装置と外部表示装置を接続することができ、外部表示装置からＥＤＩＤを取得でき、該ＥＤＩＤから外部表示装置用リモコンの外部入力切替コードが判別できる場合、これを取得して不揮発性記憶手段に記憶することができる。
【発明の効果】
【００２２】
請求項１に係る記録再生装置は、映像音声データを記録可能な記録媒体と、
該記録媒体に記憶される若しくは外部から入力される映像音声信号を処理する映像音声処理手段と、
該映像音声処理手段により処理される映像音声信号、若しくは無信号状態の映像音声信号に重畳してＯＳＤ（Ｏｎ  Ｓｃｒｅｅｎ  Ｄｉｓｐｌａｙ）表示を行うためのＯＳＤ表示手段と、
装置の動作に関する情報を記憶する不揮発性記憶手段と、
装置の動作を操作するための記録再生装置用リモコンと、
該記録再生装置用リモコンによる操作を前記制御部に送信する受光部と、
これらに電源を供給する電力供給手段と、
各手段への電源供給の制御をすると共に装置全体の動作の制御を行う制御部と、を備える記録再生装置であって、
該外部表示装置を操作する外部表示装置用リモコンが外部入力からの映像音声の表示に切り替える際に発する外部入力切替コードを前記不揮発性記憶手段に記憶し、前記外部表示装置用リモコンから発信される前記外部入力切替コードを、前記受光部により検知した際、前記不揮発性記憶手段に記憶された情報を読み込み、前記ＯＳＤ表示手段を通じて前記外部表示装置にＯＳＤ表示を行うので、ユーザが記録再生装置を使用する前に、外部表示装置用リモコンの外部入力切替キーが押された場合、記録再生装置は自動的に不揮発性記憶手段に記憶される情報をＯＳＤ表示することができ、ユーザが記録再生装置を使用する前にユーザに記録再生装置の情報を認識することができる。
【００２３】
請求項２に係る記録再生装置は、請求項１記載の記録再生装置において、前記外部入力切替コードを検知した際に、前記制御部は前記ＯＳＤ表示手段に電源供給するよう前記電力供給手段を制御すると共に、前記不揮発性記憶手段に記憶される情報を、前記ＯＳＤ表示手段を通じて前記外部表示装置に表示するので、記録再生装置がスタンバイ状態であり、制御部を除く各手段に電源が供給されていない場合においても、外部表示装置用リモコンから発信される外部入力切替コードを検知することで、ＯＳＤ表示手段に電源を供給し、ＯＳＤ表示を行うことができる。
【００２４】
請求項３に係る記録再生装置は、請求項１又は２記載の記録再生装置において、前記不揮発性記憶手段に、表示すべき情報が記憶されていない場合、前記制御部は前記電力供給手段に対して前記表示すべき情報に該当する装置に電源を供給するよう制御し、前記表示すべき情報を取得し、不揮発性記憶手段に記憶すると共に、取得した表示すべき情報を前記ＯＳＤ表示手段により前記外部表示装置にＯＳＤ表示するので、例えば初回電源オン時や、不揮発性記憶手段に表示のための情報が記憶されていないような場合においても、記録媒体の状態等を取得してＯＳＤ表示を行うことができ、記録再生装置の最新の状態のＯＳＤ表示を行うことができる。
【００２５】
請求項４に係る記録再生装置は、請求項１から３の何れか１項記載の記録再生装置において、前記不揮発性記憶手段に記憶され、前記外部表示装置に表示される情報は、設定された録画予約情報及び記録媒体の残容量、若しくはその何れかであるので、記録再生装置を使用する準備段階である外部表示装置の外部入力切替の際に、記録再生装置の操作をすることなく、画面上に録画予約情報及び記録媒体の残容量、若しくはその何れか一方を表示することができ、ユーザが使用する際に予めこれらの情報を認識することができる。
【００２６】
請求項５に係る記録再生装置は、請求項１から４の何れか１項記載の記録再生装置において、前記不揮発性記憶手段に記憶された情報の表示中に、放送番組の録画予約設定の仮登録として前記不揮発性記憶手段に記憶することができ、記録再生装置の通常利用の際に電源をオンにすると、前記不揮発性記憶手段に記憶された仮録画予約設定が自動的に表示され、仮登録を本登録とするか否かの選択画面を表示し、本登録するとされた場合は、不揮発性記憶手段に録画予約情報として記憶するので、記録再生装置の動作準備にかかる時間が少ないため、急な録画予約の設定が必要な場合にも、短時間で仮登録を行うことができる。また、記録再生装置の電源がオンとなった場合に、仮登録された録画予約設定情報が表示され、それを本登録とするかどうかを選択し決定することができるので、ユーザが仮録画予約設定を確実に確認し、本登録とするかどうかを選択及び決定することができる。
【００２７】
請求項６に係る記録再生装置は、請求項１から５の何れか１項に記載の記録再生装置において、前記制御部は、前記外部表示装置用リモコンの外部入力切替コードを検知したことによって電源を供給している状態において、所定時間内に前記記録再生装置用リモコン若しくは前記操作部によって何らかの操作が行われない場合、電源をオフにするので、外部入力切替コードを検知後、ユーザが記録再生装置を所定時間行わないことで記録再生装置を利用しないと判断し、電源をオフとすることで節電効果を図ることができる。
【００２８】
請求項７に係る記録再生装置は、請求項１から６の何れか１項記載の記録再生装置において、前記外部入力切替コードは、前記外部表示装置用リモコンが発信する前記外部入力切替コードを前記受光部により受信して、前記不揮発性記憶手段に記憶するので、例えば、本発明の記録再生装置以外の機器のリモコンの外部入力切替キーのコードを登録する設定画面を呼び出し、所定の手順により当該外部入力切替キーを押下する際に発信されるコードを不揮発性記憶手段に記憶することができる。
【００２９】
請求項８に係る記録再生装置は、請求項１から６の何れか１項記載の記録再生装置において、前記記録再生装置はＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格の接続端子を有し、接続先の外部装置のＥＤＩＤ（Ｅｘｔｅｎｄｅｄ  Ｄｉｓｐｌａｙ  Ｉｄｅｎｔｉｆｉｃａｔｉｏｎ  Ｄａｔａ）が読み込み可能であり、前記外部表示装置と該ＨＤＭＩ規格の接続端子により接続された際、前記ＥＤＩＤに前記外部入力切替コードが設定されているかを検出し、設定されている場合、前記外部表示装置からが前記外部入力切替コードを取得し、前記不揮発性記憶手段に記憶するので、外部表示装置がＨＤＭＩ企画の接続端子を有し、ＥＤＩＤを取得することが可能で、且つＥＤＩＤにリモコンの外部入力切替キーを押下する際に発するコードを読み出すことが可能である場合、本発明の記録再生装置と外部表示装置を接続するだけで不揮発性記憶手段に外部入力切替コードを記憶させることができる。
【発明を実施するための最良の形態】
【００３０】
以下、本発明を実施するための最良の形態としての実施例を図１から図８を参照して説明する。もちろん、本発明は、その発明の趣旨に反さない範囲で、実施例において説明した以外のものに対しても容易に適用可能なことは説明を要するまでもない。
【００３１】
図１〜図６は、本発明の実施例１を示し、図１は、本実施例における記録再生装置の構成を示すブロック図である。図２は記録再生装置の動作を示すフローチャートである。図３は記録再生装置のＨＤＤの残容量及び録画予約情報をＯＳＤ表示する外部表示装置の表示例を示す説明図である。図４は記録再生装置の初回電源オンの際の動作を示すフローチャートである。図５は記録再生装置の初回電源オンの際に、ＴＶモニタ用リモコンの外部入力キーを押下することを要求する画面を示す説明図である。図６は記録再生装置の設定メニューから外部入力キーの登録を行う際の設定画面の例を示す説明図である。図７及び図８は、本発明の実施例２を示し、図７はＨＤＭＩ接続端子により記録再生装置及びＴＶモニタが接続された際の、記録再生装置の動作を示すフローチャートであり、図８はＨＤＭＩ接続端子による接続の際に、ＴＶモニタの外部入力切替コードが取得できなかった場合の外部入力切替コード登録画面の例を示す説明図である。
【実施例１】
【００３２】
本実施例における記録再生装置の構成について、図１に基づいて説明する。１は記録再生装置である。２は記録媒体たるＨＤＤ（Ｈａｒｄ  Ｄｉｓｋ  Ｄｒｉｖｅ）である。３はマイコンである制御部であり、３１は制御部３内部に備える不揮発性記憶手段たる情報保存部である。４は電力供給手段たる電源である。５は放送電波を受信するためのチューナであり、６は記録媒体に記録された映像音声若しくはチューナ５により受信した放送電波等から得られる映像音声を処理する映像音声処理手段たる映像音声処理部である。７は映像音声処理部６で処理される映像音声信号に制御部３で生成されるＯＳＤ信号を合成・重畳するためのＯＳＤ表示部である。８は記録再生装置用リモコン９から発信される操作信号を受光するリモコン受光部である。１０は外部表示装置たるＴＶモニタであり、１１は外部表示装置用リモコンたるＴＶモニタ用リモコンであり、１１ａはＴＶモニタ１０の外部装置からの映像音声信号を切り替えるための外部入力切替キーである。ＨＤＤ２、チューナ５、映像音声処理部６、及びＯＳＤ表示部７は、制御部３により電源４からの電力供給を制御される。
【００３３】
次に、記録再生装置１の本発明の動作について、図２に基づいて説明する。まず、情報保存部３１に、ＴＶモニタ用リモコン１１の外部入力切替キー１１ａに設定される外部入力切替コードが記憶されているかを確認する（Ｓ０００１）。このとき、外部入力切替コードが記憶されていない場合は、一般的な記録再生装置と同様の動作しかしない。外部入力切替コードが記憶されている場合は、スタンバイ状態である記録再生装置１は外部入力切替コードの検知があるまで待機状態となり（Ｓ０００２）、外部入力切替コードを検知した場合、情報保存部３１にＨＤＤ２の残容量及び録画予約情報が記憶されているかを判別する（Ｓ０００３）。制御部３は、これらの情報が記憶されていない場合はＨＤＤ２に電力を供給すると共にＨＤＤ２の残容量を検出し、情報保存部３１に記憶する（Ｓ０００４）。ＨＤＤ２の残容量及び録画予約情報が記憶されている場合は情報保存部３１から当該情報を読み出す（Ｓ０００５）。このようにして検出又は読み出されたＨＤＤ２の残容量及び録画予約情報を、ＯＳＤ表示部７を通じてＴＶモニタ１０に表示するために、制御部３はＯＳＤとして表示する表示データの作成を行い、ＯＳＤ表示部７への電力供給を行う（Ｓ０００６）。ＯＳＤ表示部７に電力が供給されたら、作成したＯＳＤ表示データを映像若しくは無信号状態の映像（所謂ブルーバック等）に重畳させ、ＴＶモニタ１０に表示をする。このとき同時にタイマーをスタートする（Ｓ０００７）。後述のように表示する情報を切り替えるための記録再生装置用リモコン９若しくは記録再生装置１に備える図示しない操作手段により操作が行われたかを監視し、操作が行われた場合はそれに伴い表示する情報の切り替えを行うと共にタイマーをリセットする（Ｓ０００８）。リモコンの操作が行われず所定時間（本実施例では３分とする）が経過した場合（Ｓ０００９）、ＯＳＤ表示を終了するべくＯＳＤ表示部７への電力供給を停止する（Ｓ００１０）。
【００３４】
続いて、図２におけるステップＳ００１０における表示する情報の切り替えについて、図３に基づいて説明する。（ａ）はＨＤＤ２の残容量をＯＳＤ表示した画面を示している。（ｂ）は録画予約情報をＯＳＤ表示した画面を示している。これらのＯＳＤ表示を記録再生装置用リモコン９若しくは図示しない記録再生装置１の操作手段により表示を切り替えることができる。また、視聴中の放送番組の最中等において、別の番組の放送予告などがあった場合に、記録再生装置１の電源をオンにすると、電源オンにしてから操作が可能となるまでに時間がかかることがあり、これを回避するため、図３（ｃ）のように録画予約設定画面を表示し、仮予約を可能する。設定される仮予約情報は情報保存部３１に記憶される。この仮予約設定がされた状態で、記録再生装置１の電源をオンとすると、図３（ｄ）のように、制御部３はＯＳＤ表示部７を通じて仮予約確認画面の表示を行い、ユーザに仮予約の状態を通知し、録画予約情報に本登録するか否かを決定することができる。
【００３５】
次に、記録再生装置１の初回電源オンの際の、ＴＶモニタ１０に添付されるＴＶモニタ用リモコン１１の外部入力切替コードを登録する動作について、図４及び図５に基づいて説明する。図３は、記録再生装置１の初回電源オンの際の動作を示すフローチャート図である。最初に記録再生装置１の電源をオンにする（Ｓ０００１）。図４に示すような接続中のＴＶモニタ１０を操作するためのＴＶモニタ用リモコン１１の外部入力切替キー１１ａを押下することを要求する画面を表示する（Ｓ０００２）。外部入力切替キー１１ａを押下したことにより発信される外部入力切替コードをリモコン受光部８により検知した場合は（Ｓ０００３）、当該外部入力切替コードを情報保存部３１に記憶する（Ｓ０００４）。検知できずに所定時間経過後は（Ｓ０００５）、図４に示すような設定画面表示を終了し、通常の記録再生装置１の動作に移行する（Ｓ０００６）。
【００３６】
次に、記録再生装置１の設定を変更するメニュー画面から、ＴＶモニタ用リモコン１１から発信される外部入力切替コードを登録する動作について、図６に基づいて説明する。まず、図６（ａ）に示すような記録再生装置１の設定を変更するためのメニュー画面を表示する。続いて該メニュー画面から「外部入力切替キー登録」項目を選択する。その後、図６（ｂ）に示すような外部入力切替コードの受信待機画面が表示される。このとき、ＴＶモニタ用リモコン１１の外部入力切替キー１１ａを押下し、外部入力切替コードを発信すると、図６（ｃ）のように外部入力切替コードを受信した旨を通知する画面を表示し、受信した外部入力切替コードを情報保存部３１に記憶させる。
【００３７】
以上のような構成の記録再生装置１によれば、ＴＶモニタ１０に表示する映像を、記録再生装置１から出力される映像信号に切り替えるための準備動作として、ＴＶモニタ用リモコン１１の外部入力切替キー１１ａが押下されることを検知することにより、事前に映像音声信号（若しくは無信号状態時に表示するブルースクリーン等）に記録再生装置１の情報であるＨＤＤ２の残容量や録画予約情報を表示できるため、ユーザは記録再生装置１自体の操作を行うことなく、外部入力切替キー１１ａを押下するだけで記録再生装置１の情報を閲覧することができる。また、初回電源オン時に外部入力切替コードを登録するよう促すため、外部入力切替コードの登録忘れを防止することができ、また記録再生装置１の設定を変更するメニュー画面からも外部入力切替コードが登録できるため、ＴＶモニタ１０を変更する場合にも容易に外部入力切替コードの設定を変更することができる。
【実施例２】
【００３８】
次に本発明の実施例２を説明する。記録再生装置１とＴＶモニタ１０がＨＤＭＩ接続端子を有し、これを用いて接続する場合について、図７及び８に基づいて説明する。前記実施例１と同一部分には同一符号を付し、重複する部分の説明を省略し、異なる部分についてのみ説明する。記録再生装置１とＴＶモニタ１０をそれぞれのＨＤＭＩ接続端子により接続する（Ｓ０００１）。このとき、情報保存部３１に外部入力切替コードが既に登録されているかを判別し（Ｓ０００２）、登録されている場合は、登録済みの外部入力切替コードをそのまま使用する（Ｓ０００３）。続いて、記録再生装置１は、ＴＶモニタ１０が有するＥＤＩＤの取得を行う（Ｓ０００４）。取得したＥＤＩＤが予め情報保存部３１に記憶済みであるメーカ毎の外部入力切替コード管理テーブルに存在するかを判別する（Ｓ０００５）。存在する場合はテーブルに記憶される外部入力切替コードを情報保存部３１に記憶する（Ｓ０００６）。存在しない場合は、ＴＶモニタ１０の外部入力切替コードを登録するかをユーザに問うための画面を表示する（Ｓ０００７）。以降、図２のステップＳ０００２へ移行し、ＴＶモニタ用リモコン１１の外部入力切替コードを登録する。
【００３９】
以上のような構成の記録再生装置１によれば、ＨＤＭＩ接続端子によってＴＶモニタ１０と接続することにより、ユーザが特別な操作を行わずとも外部入力切替コードの登録を行うことができる。
【００４０】
以上、本発明の実施例を詳述したが、本発明は前記実施例に限定されるものではなく、本発明の要旨の範囲内で種々の変形実施が可能である。例えば、情報保持部３１は制御部３内部に属するとしたが、別途フラッシュメモリやＥ２ＰＲＯＭ等の不揮発性記憶媒体としても良い。また、外部表示装置をＴＶモニタとしたが、これに限定せず映像信号を表示する表示部と、外部入力端子を有する表示装置であれば何ら問題ない。
【図面の簡単な説明】
【００４１】
【図１】本発明の実施例１における、記録再生装置の構成を示すブロック図である。
【図２】同上、記録再生装置の動作を示すフローチャートである。
【図３】同上、ＴＶモニタにより表示される、記録再生装置により作成されるＯＳＤ表示例の説明図であり、（ａ）はＨＤＤの残容量確認画面を、（ｂ）は録画予約状況確認画面を、（ｃ）は仮録画予約設定画面を、（ｄ）は仮録画予約確認画面をそれぞれ示している。
【図４】同上、記録再生装置の初回電源オンの際の動作を示すフローチャートである。
【図５】同上、図４の動作中、ＴＶモニタ用リモコンの外部入力切替コードを登録する際の登録画面例を示す説明図である。
【図６】同上、記録再生装置の設定メニューからＴＶモニタ用リモコンの外部入力切替コードを登録するための登録画面例の説明図であり、（ａ）は設定メニュー画面を、（ｂ）は外部入力切替コード登録画面を、（ｃ）は登録完了画面をそれぞれ示している。
【図７】本発明の実施例２における、ＨＤＭＩ接続の際の記録再生装置の動作を示すフローチャートである。
【図８】同上、図８においてＴＶモニタから外部入力切替コードを取得できず、ＴＶモニタ用リモコンから発信される外部入力切替コードを登録する際の登録画面を示す説明図である。
【符号の説明】
【００４２】
１    記録再生装置
２    ＨＤＤ（記録媒体）
３    制御部
３１  情報保持部（不揮発性記憶手段）
４    電源（電力供給手段）
６    映像音声処理部（映像音声処理手段）
７    ＯＳＤ表示部（ＯＳＤ表示手段）
８    リモコン受光部（受光部）
９    記録再生装置用リモコン
１０  ＴＶモニタ（外部表示装置）
１１  ＴＶモニタ用リモコン（外部表示装置用リモコン）
１１ａ  外部入力切替キー
【図１】
2007324687.tif 000003
【図２】
2007324687.tif 000004
【図３】
2007324687.tif 000005
【図４】
2007324687.tif 000006
【図５】
2007324687.tif 000007
【図６】
2007324687.tif 000008
【図７】
2007324687.tif 000009
【図８】
2007324687.tif 000010